(57)【要約】【課題】接続具のルアーテーパ部を差し込んで、輸液を輸液ラインに供給するときの注入抵抗を抑えることができる注入ポート構造を提供する。【解決手段】注入ポート４は、医療用の輸液ラインに設けられ、接続具２の先端のルアーテーパ部３が差し込まれることにより開口される弾性弁１０を備える。注入ポート４は、一方が開口し他方が輸液ラインに接続される外筒部９を備える。弾性弁１０は、外筒部９の開口を閉塞するように外筒部９内に配置される。弾性弁１０には、ルアーテーパ部３が外筒部９の開口から挿入されたときに、開口される切込部１３が設けられる。外筒部９内には、弾性弁１０を押し退けて挿入されたルアーテーパ部３の先端と直接接触して、輸液がルアーテーパ部３内から直接流れ込むように内筒部１４が設けられる。【選択図】図３
2015066068.tif 000002
【特許請求の範囲】
【請求項１】
医療用の輸液ラインに設けられ、接続具の先端のルアーテーパ部が差し込まれることにより開口される弾性弁を備える注入ポートであって、
一方が開口し他方が輸液ラインに接続される外筒部を備え、
前記弾性弁は、前記外筒部の開口を閉塞するように前記外筒部内に配置され、
該弾性弁には、前記注入ポートに接続される接続具のルアーテーパ部が前記外筒部の開口から挿入されたときに、前記弾性弁による前記外筒部の閉塞が解除して開口されるように切り込まれた切込部が設けられ、
前記外筒部内には、前記弾性弁を押し退けて挿入された前記ルアーテーパ部の先端と直接接触して、輸液が前記ルアーテーパ部内から直接流れ込むように内筒部が設けられることを特徴とする注入ポート構造。
【請求項２】
請求項１記載の注入ポートであって、
前記注入ポートは、前記輸液ラインに介設される三方活栓に設けられることを特徴とする注入ポート構造。
【発明の詳細な説明】
【技術分野】
【０００１】
本発明は、医療の分野において点滴などで、薬液などの輸液を患者等に供給する輸液ラインに介設され、注射器などの接続具の先端のルアーテーパ部を差し込んで、輸液を供給する注入ポート構造に関する。
【背景技術】
【０００２】
従来、点滴などの輸液ラインに介設される三方活栓などに設けられ、注射器などの接続具の先端のルアーテーパ部を差し込んで、薬液などの輸液を輸液ラインに供給するための注入口としての注入ポート（三方活栓のように輸液を混合させる場合には混注ポートともいう）が知られている（例えば、特許文献１参照）。
【０００３】
特許文献１の三方活栓は、円筒状の基部と、基部からＴ字状に三方へ延出する導入管と導出管と注入ポートとを備えている。基部内には、一端にレバーを備える円柱状体が回動自在に挿設されている。円柱状体には、円柱状体を回動させることにより、導入管と導出管と注入ポートとを選択的に連通させる切換路が設けられている。
【０００４】
注入ポートは、一方が開口し他方が基部に接続される外筒部を備える。外筒部内には、外筒部の開口を閉塞する弾性弁が設けられている。弾性弁は、外筒部の外交を閉塞する弁本体部と、弁本体部の基部側に連設され、弁本体部がルアーテーパ部で中に押し込まれた後、ルアーテーパ部が外筒部から引き抜かれたときに、弁本体部を元の位置に押し戻すように復元力を作用させる筒状部とで構成される。
【先行技術文献】
【特許文献】
【０００５】
【特許文献１】特開２００９−１８３５８３号公報（第６図）
【発明の概要】
【発明が解決しようとする課題】
【０００６】
従来の注入ポートでは、接続具のルアーテーパ部が挿入されて、ルアーテーパ部に押された可撓性を有する弾性弁が内側に撓むことにより、輸液が流れる流路を狭めてしまう場合がある。また逆に、弾性弁が外側に（流路を広げる方向に）撓む場合であっても、ルアーテーパ部と注入ポートの輸液ラインと連通する連通孔との間に、拡径する部分が介在することとなり、この拡径した部分で輸液の流れが一旦広がりその後に連通孔でまた狭まるため、輸液が渦を巻くように流れて滞留する場合があり、輸液の注入抵抗が強まる場合がある。
【０００７】
本発明は、注射器などの接続具の先端のルアーテーパ部を差し込んで、輸液を輸液ラインに供給するときの注入抵抗を従来よりも低く抑えることができる注入ポート構造を提供することを目的とする。
【課題を解決するための手段】
【０００８】
上記目的を達成するため、本発明は、医療用の輸液ラインに設けられ、接続具の先端のルアーテーパ部が差し込まれることにより開口される弾性弁を備える注入ポートであって、一方が開口し他方が輸液ラインに接続される外筒部を備え、前記弾性弁は、前記外筒部の開口を閉塞するように前記外筒部内に配置され、該弾性弁には、前記注入ポートに接続される接続具のルアーテーパ部が前記外筒部の開口から挿入されたときに、前記弾性弁による前記外筒部の閉塞が解除して開口されるように切り込まれた切込部が設けられ、前記外筒部内には、前記弾性弁を押し退けて挿入された前記ルアーテーパ部の先端と直接接触して、輸液が前記ルアーテーパ部内から直接流れ込むように内筒部が設けられることを特徴とする。
【０００９】
従来の注入ポートでは、接続具のルアーテーパ部が挿入されて、ルアーテーパ部に押された可撓性を有する弾性弁が内側に撓むことにより、輸液が流れる流路を狭めてしまう場合がある。また逆に、弾性弁が外側に（流路を広げる方向に）撓む場合であっても、ルアーテーパ部と注入ポートの輸液ラインと連通する連通孔との間に、拡径する部分が介在することとなり、この拡径した部分で輸液の流れが一旦広がりその後に連通孔でまた狭まるため、輸液が渦を巻くように流れて滞留する場合があり、輸液の注入抵抗が強まる場合がある。
【００１０】
本発明によれば、注入ポートに挿入された接続具のルアーテーパ部の先端は、内筒部の先端と接触し、ルアーテーパ部から注入される輸液は、直接内筒部内に供給されて輸液ラインへと流れる。従って、本発明の注入ポート構造によれば、従来の注入ポートのように、輸液の注入抵抗が高まる虞がなく、輸液の注入抵抗を抑えることができる。
【００１１】
また、本発明の注入ポートは、輸液ラインに介設される三方活栓に混注ポートとして設けてもよい。
【図面の簡単な説明】
【００１２】
【図１】本発明の注入ポート構造を適用した三方活栓の実施形態を示す断面図。
【図２】図１の注入ポートを拡大して示す断面図。
【図３】注入ポートにルアーテーパ部を挿入した状態を示す断面図。
【図４】図３の注入ポートを拡大して示す断面図。
【図５】従来の注入ポートを示す断面図。
【図６】従来の注入ポートを拡大して示す断面図。
【発明を実施するための形態】
【００１３】
図１から図４を参照して、本発明の注入ポート構造を適用した三方活栓の実施形態を説明する。図１及び図３に示すように、本実施形態の三方活栓１は、注射器等の接続具２の先端に設けられた雄型のルアーテーパ部３が挿入される注入ポート４を備える。
【００１４】
図１を参照して、三方活栓１は、点滴などで薬液などの輸液を患者等に供給する医療用の輸液ラインに介設されるものである。三方活栓１は、円筒状の基部５と、基部５からＴ字状に三方へ延出する導入管６と導出管７と注入ポート４（混注ポート）とを備えている。導入管６と導出管７とは、基部５を介して互いに同軸線上に延設され、注入ポート４は、基部５を介して導入管６及び導出管７の軸線に対して直交する軸線上に延設されている。
【００１５】
基部５内には、上部にＴ字状のレバー（図示省略）を備える円柱状体８が液密かつ回動自在に挿設されている。円柱状体８には、Ｔ字状の切換路８ａが形成されている。
【００１６】
切換路８ａは、レバー操作に伴う円柱状体８の回動によって、導入管６と注入ポート４と導出管７との何れかを選択的に連通させることができる。また、切換路８ａは、レバー操作に伴う円柱状体８の回動によって、導入管６と注入ポート４と導出管７との全てを連通させることもできる。
【００１７】
注入ポート４は、外筒部９を備える。外筒部９は、基部５と一体に設けられた外筒基部９ａと、外筒基部９ａの先端部に設けられるキャップ部９ｂとで構成される。キャップ部９ｂの先端には、ルアーテーパ部３を受け入れ可能な開口が形成されている。
【００１８】
外筒部９内には、外筒基部９ａとキャップ部９ｂとに挟まれるようにして、ゴム等の可撓性を有する弾性体で略筒状に形成され先端に閉塞部を備える弾性弁１０が設けられている。弾性弁１０は、注入ポート４の先端（一方）で開口する部分を閉塞する弁本体部１１と、弁本体部１１の基部５側に連設し、弁本体部１１がルアーテーパ部３で中に押し込まれた後、ルアーテーパ部３が外筒部９から引き抜かれたときに、弁本体部１１を元の位置に押し戻すように復元力を作用させる筒状部１２とで構成される。弁本体部１１内には、基部５に接続される内筒部１４が設けられている。内筒部１４と基部５とは連通孔１５を介して輸液が流れるように連通している。
【００１９】
弁本体部１１の中央には、切込部１３が設けられ、通常時は閉塞している。注入ポート４に注射器等の接続具２の先端のルアーテーパ部３が挿入されると、ルアーテーパ部３の先端で弁本体部１１が注入ポート４の内側に押し込まれて切込部１３が開口する。そして、ルアーテーパ部３の先端が弁本体部１１内を通過して内筒部１４の先端に直接当接する。これにより、注射器等の薬液（輸液）が注入ポート４から輸液ラインに介設される三方活栓１に供給される。
【００２０】
次に、第１実施形態の三方活栓１の作動について説明する。まず、円柱状体８の切換路８ａが導入管６と注入ポート４と導出管７とに連通した全通状態のとき、例えば、導入管６から点滴等の薬液が導入され、注入ポート４には注射器等が接続されて他の薬液が注入され、それらの混合薬液が導出管７から送り出される。
【００２１】
この全通状態から、レバー操作によって、円柱状体８を１８０°回転させると、円柱状体８の外周面により注入ポート４が閉鎖され、導入管６及び導出管７は切換路８ａにより連通した直線状連通状態となる。これにより、導入管６から導入された点滴等の薬液が、切換路８ａを通過して導出管７から導出される。
【００２２】
また、図１に示す状態から、レバー操作によって、円柱状体８を反時計回りに９０°回転させると、円柱状体８の外周面により導入管６が閉鎖され、注入ポート４及び導出管７は切換路８ａにより連通したＬ字状連通状態となる。
【００２３】
また、切換路８ａは、その３つの開口が、レバーを導入管６と注入ポート４と導出管７とに対して斜めとなる位置に回転させたときに、導入管６と注入ポート４と導出管７との何れにも連通せずに基部５の内周面で閉塞されるように形成されている。これにより、レバーを斜めにするだけで導出管７からの薬液の供給を阻止することができ、利便性を維持させることができる。
【００２４】
本実施形態の三方活栓１によれば、注入ポート４に差し込まれた接続具２の先端のルアーテーパ部３は、弾性弁１０の弁本体部１１を押し退けるようにして筒状部１２内を通過し、内筒部１４の先端と直接接触する。そして、ルアーテーパ部３から注入される輸液は、内筒部１４内に直接供給されて基部５と導出管７とを介して、三方活栓１が介設される輸液ライン（図示省略）へと流れる。従って、従来の注入ポートのように、輸液の注入抵抗が高まる虞がなく、輸液の注入抵抗を抑えることができる。
【００２５】
図５及び図６は従来の注入ポート４’を備える三方活栓１’を示したものである。
【００２６】
従来の三方活栓１’では、接続具２のルアーテーパ部３が挿入されて、ルアーテーパ部３に押された可撓性を有する弾性弁１０が内側に撓むことにより、輸液が流れる流路を狭めてしまう場合がある。また逆に、弾性弁１０が外側に（流路を広げる方向に）撓む場合であっても、ルアーテーパ部３と三方活栓１’の輸液ラインと連通する連通孔１５との間に、拡径する部分が介在することとなり、この拡径した部分で輸液の流れが一旦広がりその後に連通孔１５でまた狭まるため、輸液が渦を巻くように流れて滞留する場合があり、輸液の注入抵抗が強まる虞がある。
【００２７】
なお、本実施形態においては、本発明の注入ポート構造を三方活栓１に適用したものを用いて説明したが、本発明の注入ポート構造は、これに限らず、例えば、輸液ラインの端部に本発明の注入ポートを設けてもよい。これによっても、本発明の注入抵抗の低減という作用効果を奏することができる。
【符号の説明】
【００２８】
１  三方活栓
２  接続具（注射器）
３  ルアーテーパ部
４  注入ポート（混注ポート）
５  基部
６  導入管
７  導出管
８  円柱状体
８ａ  切換路
９  外筒部
９ａ  外筒基部
９ｂ  キャップ部
１０  弾性弁
１１  弁本体部
１２  筒状部
１３  切込部（スリット）
１４  内筒部
１５  連通孔
【図１】
2015066068.tif 000003
【図２】
2015066068.tif 000004
【図３】
2015066068.tif 000005
【図４】
2015066068.tif 000006
【図５】
2015066068.tif 000007
【図６】
2015066068.tif 000008